(57)【特許請求の範囲】
【請求項１】
複数の紙幣を一枚ずつ取り込む受入部と、
前記受入部で取り込まれた紙幣を搬送する搬送部と、
前記搬送部で搬送された紙幣を集積する集積部と、
前記搬送部に設けられ、該搬送部で搬送される紙幣を識別計数する識別部と、
前記集積部に集積された紙幣を受け入れて収納する収納庫と、
前記集積部に集積された紙幣の表面を挟持し、その表面と平行な方向へ当該紙幣を搬送し前記収納庫へ収納させる挟持搬送機構と、を備え、
前記集積部の前面側に、集積された紙幣を外部から取り出すための前面開口部と、該前面開口部を開閉するための前面シャッタ部が設けられていることを特徴とする紙幣入金装置。
【請求項２】
前記挟持搬送機構は、前記集積部に集積された複数の紙幣のうち最も外方に位置する紙幣の表面を挟持し、当該複数の紙幣を一括して前記収納庫へと搬送することを特徴とする請求項１に記載の紙幣入金装置。
【請求項３】
前記収納庫に、前記挟持搬送機構で搬送される紙幣を取り込むためのスリット状のスリット開口部が設けられていることを特徴とする請求項１または２のいずれかに記載の紙幣入金装置。
【請求項４】
前記収納庫に、前記スリット開口部を開閉するためのスリットシャッタ部が設けられていることを特徴とする請求項３に記載の紙幣入金装置。
【請求項５】
前記集積部は、前記搬送部で搬送された紙幣を前面側に傾斜させた立位状態で集積することを特徴とする請求項１乃至４のいずれか１項に記載の紙幣入金装置。
【請求項６】
前記前面シャッタ部は、前記挟持搬送機構によって紙幣を前記収納庫へ搬送しているときに開放不可能となっていることを特徴とする請求項１乃至５のいずれか１項に記載の紙幣入金装置。
【請求項７】
前記受入部で取り込まれた紙幣を前記搬送部によって前記集積部へ搬送させ、該集積部へ搬送された紙幣を前記挟持搬送機構によって前記収納庫へ搬送させる収納モードと、前記受入部で取り込まれた紙幣を前記搬送部によって前記集積部へ搬送させ、前記挟持搬送機構を作動させることなく、該集積部へ搬送された紙幣を前記前面開口部を介して外部から取り出し可能とする計数モードとを切り換える制御部をさらに備えたことを特徴とする請求項１乃至６のいずれか１項に記載の紙幣入金装置。
【発明の詳細な説明】
【技術分野】
【０００１】
本発明は、紙幣を入金するための紙幣入金装置に関する。
【背景技術】
【０００２】
従来から、紙幣挿入部（受入部）から繰出された紙幣を搬送する搬送路（搬送部）と、この搬送路の途中部に配設され紙幣の金種を判別する紙幣判別手段（識別部）と、判別手段で判別された紙幣を上下方向に集積して一時保留する紙幣一時保留部（集積部）と、収納指令に基づいて紙幣一時保留部から集積状態の紙幣をそのまま一括して集積方向に落下させて受入れる紙幣収納カセット（収納庫）とを備えた紙幣入金装置が知られている（特許文献１および２参照）。
【０００３】
そして、このような従来の紙幣入金装置では、紙幣一時保留部と紙幣収納カセットとの間に紙幣の面方向の大きさよりも大きな開口が設けられており、当該開口を介して紙幣を落下させることで、紙幣一時保留部から紙幣収納カセットへ紙幣を移動させている。
【先行技術文献】
【特許文献】
【０００４】
【特許文献１】特許３８６８６７７号
【特許文献２】特開２００９−１１００８４号
【発明の概要】
【発明が解決しようとする課題】
【０００５】
しかしながら、従来の紙幣入金装置では、上述のように大きな開口が設けられているので、紙幣収納カセット（収納庫）内の紙幣が当該開口を介して抜き取られる可能性があった。
【０００６】
本発明は、このような点を考慮してなされたものであり、収納庫内の紙幣が抜き取られることを防止することができ、防盗性の高い紙幣入金装置を提供することを目的とする。
【課題を解決するための手段】
【０００７】
本発明の紙幣入金装置は、
複数の紙幣を一枚ずつ取り込む受入部と、
前記受入部で取り込まれた紙幣を搬送する搬送部と、
前記搬送部で搬送された紙幣を集積する集積部と、
前記搬送部に設けられ、該搬送部で搬送される紙幣を識別計数する識別部と、
前記集積部に集積された紙幣を受け入れて収納する収納庫と、
前記集積部に集積された紙幣の表面を挟持し、その表面と平行な方向へ当該紙幣を搬送し前記収納庫へ収納させる挟持搬送機構と、を備え、
前記集積部の前面側に、集積された紙幣を外部から取り出すための前面開口部と、該前面開口部を開閉するための前面シャッタ部が設けられている。
【０００８】
本発明の紙幣入金装置において、
前記挟持搬送機構は、前記集積部に集積された複数の紙幣のうち最も外方に位置する紙幣の表面を挟持し、当該複数の紙幣を一括して前記収納庫へと搬送してもよい。
【０００９】
本発明の紙幣入金装置において、
前記収納庫に、前記挟持搬送機構で搬送される紙幣を取り込むためのスリット状のスリット開口部が設けられてもよい。
【００１０】
本発明の紙幣入金装置において、
前記収納庫に、前記スリット開口部を開閉するためのスリットシャッタ部が設けられてもよい。
【００１１】
本発明の紙幣入金装置において、
前記集積部は、前記搬送部で搬送された紙幣を前面側に傾斜させた立位状態で集積してもよい。
【００１２】
本発明の紙幣入金装置において、
前記前面シャッタ部は、前記挟持搬送機構によって紙幣を前記収納庫へ搬送しているときに開放不可能となってもよい。
【００１３】
本発明の紙幣入金装置は、
前記受入部で取り込まれた紙幣を前記搬送部によって前記集積部へ搬送させ、該集積部へ搬送された紙幣を前記挟持搬送機構によって前記収納庫へ搬送させる収納モードと、前記受入部で取り込まれた紙幣を前記搬送部によって前記集積部へ搬送させ、前記挟持搬送機構を作動させることなく、該集積部へ搬送された紙幣を前記前面開口部を介して外部から取り出し可能とする計数モードとを切り換える制御部をさらに備えてもよい。
【発明の効果】
【００１４】
本発明によれば、集積部に集積された紙幣の表面を挟持し、その表面と平行な方向へ当該紙幣を搬送し収納庫へ収納させる挟持搬送機構が設けられている。このため、収納庫内の紙幣が抜き取られることを防止することができ、防盗性の高い紙幣入金装置を提供することができる。
【００１５】
また、本発明によれば、集積部の前面側に、集積された紙幣を外部から取り出すための前面開口部が設けられている。このため、計数時においては、集積部に搬送された紙幣を前面開口部を介して取り出すことができ、一つの装置で紙幣の計数と紙幣の収納の両機能を兼ねることができる。
【図面の簡単な説明】
【００１６】
【図１】本発明の実施の形態による紙幣入金装置を示す斜視図。
【図２】本発明の実施の形態による紙幣入金装置の構成を示す側方断面図。
【図３】本発明の実施の形態による紙幣入金装置の挟持搬送機構の具体的構成を示す側方断面図。
【発明を実施するための形態】
【００１７】
実施の形態
以下、本発明に係る紙幣入金装置の実施の形態について、図面を参照して説明する。ここで、図１乃至図３は本発明の実施の形態を示す図である。
【００１８】
図２に示すように、紙幣入金装置は、筐体１と、筐体１に設けられて複数の紙幣Ｐが載置される載置部２０と、載置部２０に載置された複数の紙幣Ｐを一枚ずつ取り込む受入部２５と、受入部２５で取り込まれた紙幣Ｐを搬送する搬送部３０と、搬送部３０で搬送された紙幣Ｐを集積する集積部６０と、搬送部３０に設けられ、当該搬送部３０で搬送される紙幣Ｐを識別するとともに計数（識別計数）する識別部４０と、集積部６０に集積された紙幣Ｐを受け入れて収納する収納庫７０と、を備えている。
【００１９】
このうち、受入部２５は、図２に示すように、載置部２０に載置された複数の紙幣Ｐのうち最も下方に位置する紙幣Ｐに駆動力を与えるキッカーローラ２６と、紙幣Ｐの繰出方向においてキッカーローラ２６の下流側に配置されてキッカーローラ２６により蹴り出された紙幣Ｐの筐体１の内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００２０】
また、図２に示すように、搬送部３０は、紙幣Ｐを搬送する搬送ベルト３１、搬送ローラ３２などで構成されている。また、搬送部３０の最下流部で、集積部６０近傍には、搬送部３０で搬送された紙幣Ｐを１枚毎に羽根３５ａの間で受け止めて集積部６０に整列集積させる羽根車３５が設けられている。
【００２１】
また、図２に示すように、集積部６０は、集積紙幣Ｐを前面側に傾斜された状態に集積させる形状となっており、搬送部３０で搬送された紙幣Ｐを、支持部６４で支持させることで、前面側に傾斜させた立位状態で集積するように構成されている。なお、本願で前面側とは、操作者が紙幣Ｐを載置部２０に載置したり、後述する前面開口部６１を介して集積部６０から紙幣Ｐを取り出したりする側のことを意味し、図２の右側のことを意味している。他方、本願で後面側とは、前面側と反対側を意味し、図２の左側のことを意味している。
【００２２】
また、集積部６０の前面側には、集積された紙幣Ｐを外部から取り出すための前面開口部６１（図２参照）と、当該前面開口部６１を開閉するための前面シャッタ部６２（図１参照）が設けられている。この前面シャッタ部６２は、後述する制御部５０によって、少なくとも挟持搬送機構１０によって紙幣Ｐを収納庫７０へ搬送しているときに開放不可能となるように制御されている。
【００２３】
また、図２に示すように、集積部６０には、集積部６０に集積された紙幣Ｐの表面を挟持し、その表面と平行な方向へ当該紙幣Ｐを搬送することで収納庫７０へ収納させる挟持搬送機構１０が設けられている。より具体的には、挟持搬送機構１０は、集積部６０に集積された複数の紙幣Ｐのうち最も前面側に位置する紙幣Ｐの表面と最も後面側に位置する紙幣Ｐの表面（最も外方に位置する紙幣Ｐの表面）を挟持し、当該複数の紙幣Ｐを一括して収納庫７０へと搬送することができるように構成されている（図２の矢印Ａ１参照）。
【００２４】
図３（ａ）（ｂ）に示すように、挟持搬送機構１０は、集積部６０に前傾姿勢の立位状態で集積された紙幣Ｐの下端を支持し、当該紙幣Ｐを収納庫７０へ収納させるときにスライドして開かれるスライド部１３と、スライド部１３がスライドして開かれたときに複数の紙幣Ｐのうち最も後面側に位置する紙幣Ｐの表面に当接する第一当接搬送部１１と、同じく、スライド部１３がスライドして開かれたときに複数の紙幣Ｐのうち最も前面側に位置する紙幣Ｐの表面に当接するとともに駆動力を与える第二当接搬送部１２と、を有している。
【００２５】
このうち、第一当接搬送部１１は、集積紙幣Ｐの下方部分に当接する第一上部ローラ１１ａ、後述する収納庫７０のスリット開口部７１の上方位置する第一下部ローラ１１ｂ、およびそれらのローラ間に張設されたベルト１１ｃなどで構成され、集積紙幣Ｐを下方へ搬送するために回転自在に設けられている。また、第二当接搬送部１２は、第一上部ローラ１１ａに対向する第二上部ローラ１２ａと、第一下部ローラ１１ｂに対向する第二下部ローラ１２ｂとで構成され、第二上部ローラ１２ａと第二下部ローラ１２ｂはそれぞれ、集積紙幣Ｐを下方へ搬送するように、当該集積紙幣Ｐに駆動力を与えるようになっている。
【００２６】
なお、スライド部１３と第一当接搬送部１１との間には集積紙幣Ｐの下部を回避した位置においてバネなどからなる弾性部材１４が設けられており、スライド部１３が前面側に移動した際に（図３（ｂ）参照）、第一当接搬送部１１が前面側に引っ張られる構成となっている。そして、第一当接搬送部１１が前面側に引っ張られることによって、第一当接搬送部１１と第二当接搬送部１２との間で複数の紙幣Ｐが挟持されることとなる。
【００２７】
ところで、本実施の形態では、第二当接搬送部１２が紙幣Ｐの表面に駆動力を与え、第一当接搬送部１１は回転可能になっているだけであるが、これに限られることはない。例えば、本実施の形態とは逆に、第一当接搬送部１１が紙幣Ｐの表面に駆動力を与え、第二当接搬送部１２は回転可能となっているだけでもよいし、第一当接搬送部１１と第二当接搬送部１２の両方が紙幣Ｐの表面に駆動力を与えてもよい。
【００２８】
また、図２に示すように、収納庫７０には、挟持搬送機構１０で搬送される紙幣Ｐを取り込むためのスリット状のスリット開口部７１と、当該スリット開口部７１を開閉するためのスリットシャッタ部７２が設けられている。なお、図１に示すように、収納庫７０は、ロック部材７６によってロック可能な収納筐体７５内に取り出し自在に配置されている。
【００２９】
また、図２に示すように、紙幣入金装置は、受入部２５で取り込まれた紙幣Ｐを搬送部３０によって搬送しつつ識別部４０によって金種、真偽などを識別した上で集積部６０へ搬送させ、当該集積部６０へ搬送された紙幣Ｐを挟持搬送機構１０によって収納庫７０へ搬送させる収納モードと、受入部２５で取り込まれた紙幣Ｐを搬送部３０によって搬送しつつ識別部４０によって金種、真偽などを識別した上で集積部６０へ搬送させ、挟持搬送機構１０を作動させることなく、当該集積部６０へ搬送された紙幣Ｐを前面開口部６１を介して外部から取り出し可能とする計数モードとを切り換える制御部５０も備えている。
【００３０】
なお、図１に示すように、筐体１には、所定の情報を表示する機能とデータ入力を可能とする機能を有する表示入力部５が設けられている。また、図２に示すように、搬送部３０には、異常時に、集積部６０に搬送されない紙幣Ｐが搬送されるリジェクト部６５が設けられている。
【００３１】
ここで言う異常とは、識別異常および搬送異常を意味している。そして、識別異常とは、識別部４０で識別された情報が制御部５０に予め記憶された情報と一致しない場合のことを意味している。そして、このような識別異常としては、例えば、識別された紙幣Ｐが予定していた種類と異なる種類の紙幣Ｐであると識別されたときや、そもそも紙幣Ｐの種類を識別することができなかったときなどを挙げることができる。
【００３２】
また、搬送異常とは、搬送部３０によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００３３】
次に、このような構成からなる本実施の形態の作用について述べる。
【００３４】
（収納モード）
最初に、載置部２０から集積部６０へ搬送された紙幣Ｐを挟持搬送機構１０によって収納庫７０へ搬送させる収納モードについて説明する。なお、以下に示す動作は、明示しない限り制御部５０から各部位へ送信される信号に基づいて行われる。
【００３５】
まず、操作者によって、表示入力部５から収納モードにする旨の信号が制御部５０に入力される（図１参照）。そして、このような信号を制御部５０が受け取ると、当該制御部５０によって、前面シャッタ部６２は開放不可能となるように制御される。
【００３６】
次に、操作者によって、載置部２０に複数の紙幣Ｐが載置される（載置工程）（図２参照）。
【００３７】
次に、受入部２５によって、載置部２０に載置された複数の紙幣Ｐが一枚ずつ取り込まれる（取込工程）（図２参照）。このとき、キッカーローラ２６によって載置部２０に載置された複数の紙幣Ｐのうち最も下方に位置する紙幣Ｐが蹴り出されるとともに、フィードローラ２７ａによって繰り出され、ゲートローラ２７ｂの作用により紙幣Ｐが１枚ずつ繰り出される。
【００３８】
次に、搬送部３０によって、受入部２５で取り込まれた紙幣Ｐが搬送される（搬送工程）（図２参照）。このとき、搬送部３０に設けられた識別部４０によって、搬送部３０で搬送される紙幣Ｐが識別計数される（識別計数工程）。
【００３９】
このように搬送部３０で紙幣Ｐが搬送されているときに識別異常や搬送異常が発生した場合には、当該紙幣Ｐはリジェクト部６５へと搬送される（図２参照）（リジェクト工程）。他方、このような識別異常や搬送異常が発生しない場合には、搬送されている紙幣Ｐは集積部６０に搬送される（集積工程）。
【００４０】
このように集積部６０へ紙幣Ｐが搬送される際には、当該紙幣Ｐは、羽根車３５の羽根３５ａの間で受け止められて集積部６０に整列集積される（図２参照）。そして、羽根車３５によって搬送された紙幣Ｐは、集積部６０内で、前面側に傾斜させた立位状態で集積されることとなる。
【００４１】
上述のようにして、載置部２０に載置された複数の紙幣Ｐの全てが集積部６０に搬送されて、載置部２０に紙幣Ｐが存在しなくなると、集積部６０内に集積された紙幣Ｐの合計金額が表示入力部５に表示され、その合計金額に対する承認指示が表示入力部５から入力される（承認工程）。
【００４２】
なお、リジェクト部６５に紙幣Ｐが存在する場合には、操作者が、その紙幣Ｐを再度、載置部２０に載置して、前述と同様の工程が繰り返されて、全ての紙幣Ｐが集積部６０へ搬送されるようにする。しかしながら、何度やってもリジェクト部６５に搬送される紙幣Ｐについては、受付できない紙幣Ｐとして判断されて収納対象から除かれる。また、操作者が合計金額について承認できない場合には、返却指示が表示入力部５から入力されることにより前面シャッタ部６２が開放されて集積紙幣Ｐを取り出し可能となり処理が終了される。
【００４３】
上述のように承認指示が表示入力部５から入力されると、まず、スライド部１３が前面側（図３（ｂ）の右側）へスライドされて開状態となる。このとき、スライド部１３と第一当接搬送部１１との間に設けられた弾性部材１４によって、第一当接搬送部１１が前面側に引っ張られる。この結果、第一当接搬送部１１と第二当接搬送部１２との間に、集積部６０に集積された複数の紙幣Ｐが挟持されることとなる（挟持工程）。
【００４４】
次に、第二当接搬送部１２によって紙幣Ｐの表面に駆動力が与えられ、複数の紙幣Ｐが一括してその表面と平行な方向へ搬送される（挟持搬送工程）（図３（ｂ）参照）。このとき、第一当接搬送部１１は、紙幣Ｐの移動方向に沿って回転される。
【００４５】
次に、上述のようにして表面と平行な方向へ搬送された複数に紙幣Ｐが、スリット開口部７１を通過して、収納庫７０内に収納される（収納工程）（図２の矢印Ａ１参照）。なおこのとき、スリットシャッタ部７２が前面側に移動されており、スリット状のスリット開口部７１が開状態となっている。他方、紙幣Ｐが収納庫７０内に収納されるとき以外は、スリットシャッタ部７２は後面側に移動されており、スリット開口部７１は閉状態となっている。
【００４６】
上述のように、本実施の形態によれば、挟持搬送機構１０によって、集積部６０に集積された複数の紙幣Ｐを挟持して、その表面と平行な方向へ搬送することで、当該複数の紙幣Ｐを収納庫７０へ収納することができる。このため、集積部６０から収納庫７０へと続く搬送路の大きさを小さく（例えば人の手が入らない２０ｍｍ程度に）することができる。この結果、前面開口部６１を介して収納庫７０内の紙幣Ｐが抜き取られることを防止することができ、紙幣入金装置の防盗性を高めることができる。
【００４７】
また、本実施の形態によれば、収納モードの際に、制御部５０によって前面シャッタ部６２が開放不可能となるように制御される。このため、前面開口部６１を介して収納庫７０内の紙幣Ｐが抜き取られることをより確実に防止することができる。
【００４８】
また、収納庫７０には大きな開口は設けられず、スリット状のスリット開口部７１が設けられているだけであるので、収納庫７０内の紙幣Ｐが抜き取られることをさらに確実に防止することができる。
【００４９】
なお、本実施の形態では、挟持搬送機構１０によって複数の紙幣Ｐが挟持され、挟持された状態のままで当該複数の紙幣Ｐが収納庫７０へ向かって搬送される。このため、挟持された複数の紙幣Ｐの厚みを薄くした状態で収納庫７０へ向けて搬送することができ、スリット開口部７１の厚み７１Ｄ（図１参照）を薄くすることができる。この結果、紙幣入金装置の防盗性をより高めることができる。また、このように挟持搬送機構１０によって複数の紙幣Ｐを挟持して収納庫７０へ搬送するので、様々な大きさからなる複数種類の紙幣が混じっている場合であっても、当該紙幣を収納庫７０へ確実に搬送することができる。
【００５０】
さらに、本実施の形態によれば、集積部６０内の複数の紙幣Ｐが収納庫７０内に収納されるとき以外は、スリットシャッタ部７２は後面側に移動されており、スリット開口部７１は閉状態となっている。このため、前面開口部６１を介して収納庫７０内の紙幣Ｐが抜き取られることをさらにより確実に防止することができる。
【００５１】
ところで、上記では、載置部２０に載置された複数の紙幣Ｐの全てが集積部６０およびリジェクト部６５のいずれかへ搬送されて載置部２０に紙幣Ｐが存在しなくなったときに、挟持工程、挟持搬送工程および収納工程が行われる態様を用いて説明した。しかしながら、これに限ることはなく、所定枚数の紙幣Ｐが載置部２０から集積部６０へ搬送された段階で、挟持工程、挟持搬送工程および収納工程を行うようにしてもよい。
【００５２】
このような態様によれば、挟持搬送機構１０によって挟持される紙幣Ｐの枚数を所定枚数（例えば２００枚）以下とすることができ、挟持搬送機構１０によって挟持された際の紙幣Ｐの厚みを一定の値以下にすることができる。このため、スリット開口部７１の厚み７１Ｄを一定の値以下にすることができ、スリット開口部７１の厚み７１Ｄを必要以上に厚くすることを防止することができ、ひいては、紙幣入金装置の防盗性をさらに高めることができる。
【００５３】
（計数モード）
次に、載置部２０に載置された紙幣Ｐが集積部６０へ搬送され、その後、当該紙幣Ｐが前面開口部６１を介して外部から取り出し可能となる計数モードについて説明する。なお、収納モードと同様に計数モードでも、各部位の動作は、原則、制御部５０から各部位へ送信される信号に基づいて行われる。
【００５４】
まず、操作者によって、表示入力部５から計数モードにする旨の信号が制御部５０に入力される（図１参照）。そして、このような信号を制御部５０が受け取ると、当該制御部５０によって、前面シャッタ部６２は開放可能とされる。
【００５５】
なお、前面シャッタ部６２は、制御部５０からの指示で自動的に開けられてもよいし、制御部５０からの指示でロック（図示せず）が解除されて手動で開けることができるようになってもよい。
【００５６】
次に、操作者によって、載置部２０に複数の紙幣Ｐが載置される（載置工程）（図２参照）。
【００５７】
次に、受入部２５によって、載置部２０に載置された複数の紙幣Ｐが一枚ずつ取り込まれる（取込工程）（図２参照）。
【００５８】
次に、搬送部３０によって、受入部２５で取り込まれた紙幣Ｐが搬送される（搬送工程）。このとき、搬送部３０に設けられた識別部４０によって、搬送部３０で搬送される紙幣Ｐが識別計数される（識別計数工程）（図２参照）。
【００５９】
このように搬送部３０で紙幣Ｐが搬送されているときに、識別異常や搬送異常が発生した場合には、当該紙幣Ｐはリジェクト部６５へと搬送される（図２参照）（リジェクト工程）。他方、このような識別異常や搬送異常が発生しない場合には、搬送されている紙幣Ｐは集積部６０に搬送される（集積工程）。
【００６０】
このように集積部６０へ紙幣Ｐが搬送される際には、当該紙幣Ｐは、羽根車３５の羽根３５ａの間で受け止められて集積部６０に整列集積され、集積部６０内で、前面側に傾斜させた立位状態で集積されることとなる。
【００６１】
上述のようにして、載置部２０に載置された複数の紙幣Ｐの全てが集積部６０およびリジェクト部６５のいずれかへ搬送されて、載置部２０に紙幣Ｐが存在しなくなると、操作者が、前面シャッタ部６２が開けられて開状態となった前面開口部６１を介して複数の紙幣Ｐを取り出す（図２の矢印Ａ２参照）。
【００６２】
このとき、本実施の形態によれば、集積部６０へ搬送された紙幣Ｐは集積部６０内で前面側に傾斜させた立位状態で集積されている。このため、複数の紙幣Ｐを操作者から見えやすい状態で集積することができ、かつ、集積部６０からの複数の紙幣Ｐの取り出しを容易にすることができる。
【００６３】
ところで、上記では、載置部２０に載置された複数の紙幣Ｐの全てが集積部６０およびリジェクト部６５のいずれかへ搬送されて載置部２０に紙幣Ｐが存在しなくなる態様を用いて説明した。しかしながら、これに限ることはなく、所定枚数の紙幣Ｐが載置部２０から集積部６０へ搬送され、集積部６０から当該紙幣Ｐが取り除かれた段階で、再度、所定枚数の紙幣Ｐが載置部２０から集積部６０へ搬送される態様であってもよい。このような態様によれば、所定枚数の紙幣Ｐからなる紙幣の束を作ることができ、有益である。
【００６４】
上述のように、本実施の形態の紙幣入金装置によれば、計数モードで紙幣Ｐを識別計数することができるだけでなく、収納モードで紙幣Ｐを収納庫７０へ収納することができる。このように一つの装置が紙幣Ｐの計数と紙幣Ｐの収納の両機能を兼ねる場合には、防盗性の観点が特に重要となる。
【００６５】
この点、本実施の形態では、集積部６０から収納庫７０へと続く搬送路の大きさを小さくしたり、収納モードの際に前面シャッタ部６２を開放不可能としたり、収納庫７０に大きな開口は設けずにスリット状のスリット開口部７１だけを設けたり、集積部６０内の複数の紙幣Ｐが収納庫７０内に収納されるとき以外はスリット開口部７１を閉状態としたりすることで、防盗性を高めている。このため、紙幣Ｐの計数と紙幣Ｐの収納の両機能を兼ねる紙幣入金装置を充分な実用性を持って提供することができる。
【００６６】
なお、本実施の形態によれば、集積部６０が、収納モードにおいては一時保留する機能を果たし、計数モードでは計数済みの紙幣Ｐを集積する機能を果たすことから、紙幣入金装置の構造を簡便にすることができる。このため、低い製造コストで、紙幣Ｐの計数と紙幣Ｐの収納の両機能を兼ねる紙幣入金装置を提供することができる。
【符号の説明】
【００６７】
１０      挟持搬送機構
１１      第一当接搬送部
１２      第二当接搬送部
１３      スライド部
１４      弾性部材
２０      載置部
２５      受入部
３０      搬送部
４０      識別部
５０      制御部
６０      集積部
６１      前面開口部
６２      前面シャッタ部
６４      支持部
７０      収納庫
７１      スリット開口部
７２      スリットシャッタ部
Ｐ        紙幣
【図１】
0005474492.tif 000002
【図２】
0005474492.tif 000003
【図３】
0005474492.tif 000004